(57)【要約】   【課題】    作業性を低下させることなく切断箇所における止水性を確保する。  【解決手段】本発明に係るモルタル外壁の接合構造２１は、既存モルタル外壁２のうち、既存モルタル１０の下地であって該既存モルタルの切断面から延設されたラス板１に該切断面の側方位置にて貼着された防水テープとしてのアスファルトテープ４と、切断面１１とラス板１とが取り合う入隅部に防水テープ４と切断面１１との間隙が埋設されるように塗り込まれた水密材としてのシーリング材５と、該シーリング材が埋設されるように入隅部に塗り込まれた無収縮性固化材としての樹脂モルタル８と、アスファルトテープ４に縁部が順次重なるように積層配置された防水シートとしてのアスファルトフェルト６及びラス網７と、樹脂モルタル８、アスファルトテープ４、アスファルトフェルト６及びラス網７が埋設されるように塗り込まれたあらたなモルタル９とからなる。  【選択図】  図１
2006077549.tif 000002
【特許請求の範囲】
【請求項１】
既存モルタル外壁にあらたなモルタル外壁を接合してなるモルタル外壁の接合構造であって、前記既存モルタル外壁のうち、既存モルタルの下地であって該既存モルタルの切断面から延設されたラス板に該切断面の側方位置にて貼着された防水テープと、前記切断面と前記ラス板とが取り合う入隅部に前記防水テープと前記切断面との間隙が埋設されるように塗り込まれた所定の水密材と、該水密材が埋設されるように前記入隅部に塗り込まれた無収縮性固化材と、前記防水テープに縁部が順次重なるように積層配置された防水シート及びラス網と、前記無収縮性固化材、前記防水テープ、前記防水シート及び前記ラス網が埋設されるように塗り込まれたあらたなモルタルとからなることを特徴とするモルタル外壁の接合構造。
【請求項２】
既存モルタル外壁にあらたなモルタル外壁を接合するモルタル外壁の接合方法であって、既設モルタル外壁のうち、下地を構成するラス板を除く既設モルタルを切断して接合側を撤去し、該撤去によって露出した前記ラス板の露出面であって被接合側に残置された既存モルタルの切断面の側方位置に所定の防水テープを貼着し、前記切断面と前記ラス板の露出面とで形成される入隅部に水密材を塗り込むことによって前記防水テープの既存モルタル側縁部と前記切断面との隙間を塞ぎ、該水密材が埋設されるようにかつ前記切断面に付着するように前記入隅部に無収縮性系固化材を塗り込み、前記防水テープの上に順次重なるように前記ラス板の露出面に防水シート及びラス網を積層配置し、次いで、前記無収縮性系固化材、前記防水テープ、前記防水シート及び前記ラス網が埋設されるようにあらたなモルタルを塗り込むことを特徴とするモルタル外壁の接合方法。
【請求項３】
前記水密材を塗り込む工程に先立って、前記切断面のうち、屋外側から所定の深さまでマスキングテープを予め貼着することで前記切断面と前記あらたなモルタルとの付着領域を確保する請求項２記載のモルタル外壁の接合方法。
【請求項４】
前記あらたなモルタルを無収縮性固化材で構成するとともに、前記無収縮性固化材の塗込みと前記あらたなモルタルの塗込みとを同時に行う請求項２記載のモルタル外壁の接合方法。
【請求項５】
前記無収縮性固化材を樹脂モルタルとする請求項３又は請求項４記載のモルタル外壁の接合方法。
【請求項６】
前記切断撤去工程を窓、換気扇等の枠体の周囲で行うことで該枠体周囲のラス板を露出させ、前記枠体を取り外した後、該枠体が嵌め込まれていたラス板の開口を拡張、縮小又は維持してあらたな開口とし、該あらたな開口に交換用枠体を嵌め込むとともに該あらたな開口を取り囲む前記ラス板の周縁露出面に前記交換用枠体の周囲に突設された鍔部を当接して固定し、該鍔部の上に前記防水シート及び前記ラス網の反対側縁部を積層配置する請求項２乃至請求項５のいずれか一記載のモルタル外壁の接合方法。
【請求項７】
前記切断撤去工程を窓、換気扇等の枠体の周囲で行うことで該枠体周囲のラス板を露出させ、前記枠体を取り外した後、該枠体が嵌め込まれていたラス板の開口をあらたなラス板で塞ぎ、該あらたなラス板の上に前記防水シート及び前記ラス網を積層配置する請求項２乃至請求項５のいずれか一記載のモルタル外壁の接合方法。
【発明の詳細な説明】
【技術分野】
【０００１】
本発明は、主としてリフォーム工事の際に用いられるモルタル外壁の接合構造及び方法に関する。
【背景技術】
【０００２】
住宅においては、家族構成の変動や生活指向の変化等に伴って、下階に広い空間を確保するために増築により新築当時の部屋を広くしたり、部屋数を増やすために上階を増築したりといった住宅のリフォームに対するニーズが多様化されてきている。
【０００３】
かかるニーズに応えるためには、外壁を平面方向又は鉛直方向に延設することになるが、かかる外壁がモルタル外壁である場合、延設の際に既存の外壁と新設の外壁とを防水性が維持されるように接合しなければならない。
【０００４】
一方、モルタル外壁は、ラス板と呼ばれる下地にアスファルトフェルトなどの防水シートを重ね、さらに該防水シートにラス網を重ねた上、モルタルを塗り込んで構成するが、既存モルタル外壁にあらたなモルタル外壁を接合するにあたっては、既設モルタル外壁をいったん切断するとともに接合側を撤去し、被接合側に残置された既存モルタル外壁にあらたなモルタル外壁を接合することになる。
【０００５】
【特許文献１】特開２０００−１７０３１３
【発明の開示】
【発明が解決しようとする課題】
【０００６】
しかしながら、上述した切断撤去工程において、既設モルタル外壁を深く切断しすぎると防水シートまでカットしてしまうことになり、後々、漏水の原因ともなりかねない。
【０００７】
そのため、既設モルタル外壁を半分程度の厚さまで切断し、その後、作業員が手作業で慎重に切断するしかなく、作業に時間がかかるという問題を生じていた。
【課題を解決するための手段】
【０００８】
本発明は、上述した事情を考慮してなされたもので、作業性を低下させることなく、切断箇所における止水性を十分に確保することが可能なモルタル外壁の接合モルタル外壁の接合構造及び方法を提供することを目的とする。
【０００９】
上記目的を達成するため、本発明に係るモルタル外壁の接合構造は請求項１に記載したように、既存モルタル外壁にあらたなモルタル外壁を接合してなるモルタル外壁の接合構造であって、前記既存モルタル外壁のうち、既存モルタルの下地であって該既存モルタルの切断面から延設されたラス板に該切断面の側方位置にて貼着された防水テープと、前記切断面と前記ラス板とが取り合う入隅部に前記防水テープと前記切断面との間隙が埋設されるように塗り込まれた所定の水密材と、該水密材が埋設されるように前記入隅部に塗り込まれた無収縮性固化材と、前記防水テープに縁部が順次重なるように積層配置された防水シート及びラス網と、前記無収縮性固化材、前記防水テープ、前記防水シート及び前記ラス網が埋設されるように塗り込まれたあらたなモルタルとからなるものである。
【００１０】
また、本発明に係るモルタル外壁の接合方法は請求項２に記載したように、既存モルタル外壁にあらたなモルタル外壁を接合するモルタル外壁の接合方法であって、既設モルタル外壁のうち、該既設モルタルの下地となるラス板を除く既設モルタルを切断して接合側を撤去し、該撤去によって露出した前記ラス板の露出面であって被接合側に残置された既存モルタルの切断面の側方位置に所定の防水テープを貼着し、前記切断面と前記ラス板の露出面とで形成される入隅部に水密材を塗り込むことによって前記防水テープの既存モルタル側縁部と前記切断面との隙間を塞ぎ、該水密材が埋設されるようにかつ前記切断面に付着するように前記入隅部に無収縮性系固化材を塗り込み、前記防水テープの上に順次重なるように前記ラス板の露出面に防水シート及びラス網を積層配置し、次いで、前記無収縮性系固化材、前記防水テープ、前記防水シート及び前記ラス網が埋設されるようにあらたなモルタルを塗り込むものである。
【００１１】
また、本発明に係るモルタル外壁の接合方法は、前記水密材を塗り込む工程に先立って、前記切断面のうち、屋外側から所定の深さまでマスキングテープを予め貼着することで前記切断面と前記あらたなモルタルとの付着領域を確保するものである。
【００１２】
また、本発明に係るモルタル外壁の接合方法は、前記あらたなモルタルを無収縮性固化材で構成するとともに、前記無収縮性固化材の塗込みと前記あらたなモルタルの塗込みとを同時に行うものである。
【００１３】
また、本発明に係るモルタル外壁の接合方法は、前記無収縮性固化材を樹脂モルタルとするものである。
【００１４】
また、本発明に係るモルタル外壁の接合方法は、前記切断撤去工程を窓、換気扇等の枠体の周囲で行うことで該枠体周囲のラス板を露出させ、前記枠体を取り外した後、該枠体が嵌め込まれていたラス板の開口を拡張、縮小又は維持してあらたな開口とし、該あらたな開口に交換用枠体を嵌め込むとともに該あらたな開口を取り囲む前記ラス板の周縁露出面に前記交換用枠体の周囲に突設された鍔部を当接して固定し、該鍔部の上に前記防水シート及び前記ラス網の反対側縁部を積層配置するものである。
【００１５】
また、本発明に係るモルタル外壁の接合方法は、前記切断撤去工程を窓、換気扇等の枠体の周囲で行うことで該枠体周囲のラス板を露出させ、前記枠体を取り外した後、該枠体が嵌め込まれていたラス板の開口をあらたなラス板で塞ぎ、該あらたなラス板の上に前記防水シート及び前記ラス網を積層配置するものである。
【００１６】
本発明に係るモルタル外壁の接合構造及び方法においては、まず、既設モルタル外壁のうち、下地を構成するラス板を除く既設モルタルを切断して接合側を撤去する。
【００１７】
ここで、既設モルタル外壁を切断するにあたっては、従来とは異なり、既設モルタルはもちろん、該既設モルタルに埋設された防水シート及びラス網もカットする。
【００１８】
かかる工程により、切断作業を手作業で行う必要がなくなり、作業性を高めることができる。
【００１９】
次に、該撤去によって露出したラス板の露出面であって被接合側に残置された既存モルタルの切断面の側方位置に所定の防水テープを貼着する。
【００２０】
以下、切断前の対象物を既設モルタル外壁又は既設モルタル、切断後に残置されたものを既存モルタル外壁又は既存モルタルと呼ぶこととする。
【００２１】
次に、切断面とラス板の露出面とで形成される入隅部に水密材を塗り込む。
【００２２】
このようにすると、防水テープの既存モルタル側縁部と切断面との隙間が塞がり、止水性・防水性を確保することができる。なお、水密材を塗り込む際、ヘラ等を用いて隙間に押し込むようにすると、切断面、防水テープ及びラス板が水密材を介して一体となり、上述した防水性を一層高めることができる。
【００２３】
次に、水密材が埋設されるようにかつ切断面に付着するように、入隅部に無収縮性系固化材を塗り込む。
【００２４】
このようにすると、水密材の周囲が無収縮性固化材で固化されることとなり、水密材による止水作用・防水作用を確実ならしめることができるとともに、後で塗り込まれるモルタルの乾燥収縮によってクラックが生じ、該クラックを介して雨水が浸入したり、該乾燥収縮に伴って水密材が剥がれてしまう懸念もなくなる。
【００２５】
次に、防水テープの上に順次重なるように、ラス板の露出面に防水シート及びラス網を積層配置する。積層配置にあたっては適宜接着剤を使用すればよい。
【００２６】
かかる防水シート及びラス網の貼着作業は、無収縮性固化材の塗込み作業と相前後して又は同時に行うことができる。
【００２７】
次に、無収縮性系固化材、防水テープ、防水シート及びラス網が埋設されるようにあらたなモルタルを塗り込む。なお、幅の狭い防水テープを使った場合には、無収縮性固化材を塗り込んだ時点で既に防水テープが該無収縮性固化材に埋設される場合も考えられるが、かかる場合も含まれるものとする。
【００２８】
あらたなモルタルは、既存のモルタルと面一になるように塗り込むとともに、公知の技術を使って既存のモルタルに確実に付着させる。
【００２９】
防水シートは、防水性がある住宅用シートならその種類は問わないが、例えばアスファルトフェルトを用いることができる。防水テープも同様であり、例えば幅約１０ｃｍ程度のアスファルトテープを用いることができる。
【００３０】
水密材は、市販されているシーリング材やコーキング材から適宜選択すればよい。
【００３１】
無収縮性固化材は、乾燥収縮・硬化収縮を伴わずモルタルと同等以上の強度を有する材料であればどのようなものでもかまわないが、例えば、樹脂モルタルを使用すれば、切断面、ラス板及び防水テープとの接着性向上も期待することができる。
【００３２】
ここで、水密材を塗り込む工程に先立ち、切断面のうち、屋外側から所定の深さまでマスキングテープを予め貼着するようにすれば、切断面とあらたなモルタルとの付着領域を確保することが可能となり、既存モルタルとあらたなモルタルとの接合面がみずみちとなる懸念がなくなる。
【００３３】
また、あらたなモルタルを無収縮性固化材で構成するとともに、無収縮性固化材の塗込みとあらたなモルタルの塗込みとを同時に行う、換言すれば、水密材を塗り込んだ後、残りの空間にすべて無収縮性固化材を塗り込んでしまうようにしてもよい。
【００３４】
このように、あらたなモルタルを無収縮性固化材とすることで水密材を取り囲む無収縮性固化材の塗込みと同時施工するのか、水密材を取り囲む無収縮性固化材の塗込み工程と残余空間を埋めるあらたなモルタルの塗込み工程とを別に行うかは、既存モルタル外壁に接合されるあらたなモルタル外壁の壁長さに依存する。
【００３５】
すなわち、平面階あるいは上階への増築のようにあらたなモルタル外壁の壁長さが長い場合には、高価な無収縮性固化材を使用することのコスト高を避けるべく、別工程とした方がよいし、例えば窓を交換する場合には、あらたなモルタル外壁の壁長さが短いため、すべてを無収縮性固化材を使用する同時工程の方が、作業性を向上させることができる。
【００３６】
本発明に係るモルタル外壁の接合構造及び方法は、さまざまな用途に適用することが可能であり、例えば、上述したように、平面階又は上階への増築に適用することができるし、窓を交換する場合や、窓開口を塞いでしまう場合にも適用することができる。
【００３７】
例えば、窓を交換する場合においては、まず、上述した切断撤去工程を窓の枠体（サッシ枠）の周囲で行うことで該枠体周囲のラス板を露出させる。
【００３８】
次に、枠体を取り外した後、該枠体が嵌め込まれていたラス板の開口を拡張、縮小又は維持してあらたな開口とする。なお、拡張する場合とは、元の窓よりも大きな窓に交換する場合を意味し、縮小する場合とは、元の窓よりも大きな窓に交換する場合を意味し、維持する場合とは、元の窓と同サイズのものに交換することを意味する。
【００３９】
次に、あらたな開口に交換用枠体を嵌め込むとともに、該あらたな開口を取り囲むラス板の周縁露出面に交換用枠体の周囲に突設された鍔部を当接して固定し、該鍔部の上に上述した防水シート及びラス網の反対側縁部を積層配置する。
【００４０】
一方、窓開口を塞いでしまう場合においては、切断撤去工程を窓、換気扇等の枠体の周囲で行うことで該枠体周囲のラス板を露出させ、枠体を取り外した後、該枠体が嵌め込まれていたラス板の開口をあらたなラス板で塞ぎ、該あらたなラス板の上に上述した防水シート及びラス網を積層配置する。
【発明を実施するための最良の形態】
【００４１】
以下、本発明に係るモルタル外壁の接合構造及び方法の実施の形態について、添付図面を参照して説明する。なお、従来技術と実質的に同一の部品等については同一の符号を付してその説明を省略する。
【００４２】
図１は、本実施形態に係るモルタル外壁の接合構造２１を示した図である。同図でわかるように、本実施形態に係るモルタル外壁の接合構造２１は、既存モルタル外壁２にあらたなモルタル外壁３を接合するものであり、既存モルタル外壁２のうち、既存モルタル１０の下地であって該既存モルタルの切断面から延設されたラス板１に該切断面の側方位置にて貼着された防水テープとしてのアスファルトテープ４と、切断面１１とラス板１とが取り合う入隅部に防水テープ４と切断面１１との間隙が埋設されるように塗り込まれた水密材としてのシーリング材５と、該シーリング材が埋設されるように入隅部に塗り込まれた無収縮性固化材としての樹脂モルタル８と、アスファルトテープ４に縁部が順次重なるように積層配置された防水シートとしてのアスファルトフェルト６及びラス網７と、樹脂モルタル８、アスファルトテープ４、アスファルトフェルト６及びラス網７が埋設されるように塗り込まれたあらたなモルタル９とからなる。
【００４３】
次に、本実施形態に係るモルタル外壁の接合構造２１の施工手順を説明する。図２及び図３は、本実施形態に係るモルタル外壁の接合方法の手順を示した図であり、まず、図２(a)に示すように既設モルタル外壁のうち、下地を構成するラス板１を除く既設モルタルを切断して接合側を撤去する。
【００４４】
ここで、既設モルタル外壁を切断するにあたっては、従来とは異なり、既設モルタルはもちろん、該既設モルタルに埋設された防水シート及びラス網もカットする。
【００４５】
かかる工程により、切断作業を手作業で行う必要がなくなり、作業性を高めることができる。
【００４６】
次に、図２(b)に示すように、上述した切断撤去工程によって露出したラス板１の露出面であって被接合側に残置された既存モルタル１０の切断面１１の側方位置に、例えば幅１０ｃｍ程度のアスファルトテープ４を貼着する。
【００４７】
次に、切断面１１のうち、屋外側から所定の深さまでマスキングテープ３２を予め貼着する。
【００４８】
このようにすれば、後工程で塗り込むシーリング材５がはみ出しても問題はなく、切断面１１とあらたなモルタルとの付着領域を確保することが可能となり、既存モルタルとあらたなモルタルとの接合面がみずみちとなる懸念がなくなる。
【００４９】
次に、図２(c)に示すように、既存モルタル１０の切断面１１とラス板１の露出面とで形成される入隅部３１にシーリング材５を塗り込む。
【００５０】
このようにすると、アスファルトテープ４の既存モルタル側縁部と切断面１１との隙間が塞がり、止水性・防水性を確保することができる。なお、シーリング材５を塗り込む際、ヘラ等を用いて隙間に押し込む。
【００５１】
このようにすると、切断面１１、アスファルトテープ４及びラス板１がシーリング材５を介して一体となり、防水性を一層高めることができる。
【００５２】
次に、図２(d)に示すように、アスファルトフェルト６をアスファルトテープ４の上に重ねるように、ラス板１の露出面に積層配置するとともに、図３(a)に示すように、さらにラス網７を積層配置する。積層配置にあたっては適宜接着剤を使用すればよい。
【００５３】
次に、図３(b)に示すように、マスキングテープ３２を剥がした後、シーリング材５が埋設されるようにかつ切断面１１に付着するように、入隅部３１に樹脂モルタル８を塗り込む。
【００５４】
このようにすると、シーリング材５の周囲が樹脂モルタル８で固化されることとなり、シーリング材５による止水作用・防水作用を確実ならしめることができるとともに、後で塗り込まれるモルタルの乾燥収縮によってクラックが生じ、該クラックを介して雨水が浸入したり、該乾燥収縮に伴って水密材が剥がれてしまう懸念もなくなる。
【００５５】
次に、図３(c)に示すように、樹脂モルタル８、アスファルトテープ４、アスファルトフェルト６及びラス網７が埋設されるようにあらたなモルタル９を塗り込む。なお、本実施形態では、樹脂モルタル８を塗り込んだ時点で既にアスファルトテープ４が樹脂モルタル８に埋設されている。
【００５６】
あらたなモルタル９は、既存のモルタル１０と面一になるように塗り込むとともに、公知の技術を使って既存のモルタルに確実に付着させる。
【００５７】
以上説明したように、本実施形態に係るモルタル外壁の接合構造及び方法によれば、既設モルタル外壁を切断する際、従来とは異なり、既設モルタルはもちろん、それに埋設されているアスファルトフェルト及びラス網もカットするようにしたので、切断作業を手作業で行う必要がなくなり、作業性を高めることができる。
【００５８】
また、本実施形態に係るモルタル外壁の接合構造及び方法によれば、シーリング材５の施工に先立ち、切断面１１のうち、屋外側から所定の深さまでマスキングテープ３２を予め貼着するようにしたので、後でシーリング材５がはみ出しても問題はなく、切断面１１とあらたなモルタルとの付着領域を確保することが可能となり、既存モルタルとあらたなモルタルとの接合面がみずみちとなる懸念がなくなる。
【００５９】
また、本実施形態に係るモルタル外壁の接合構造及び方法によれば、既存モルタル１０の切断面１１とラス板１の露出面とで形成される入隅部３１にシーリング材５を塗り込むことで、アスファルトテープ４の既存モルタル側縁部と切断面１１との隙間を塞ぐようにしたので、止水性・防水性を確保することができる。
【００６０】
また、本実施形態に係るモルタル外壁の接合構造及び方法によれば、シーリング材５が埋設されるようにかつ切断面１１に付着するように、入隅部３１に樹脂モルタル８を塗り込むようにしたので、シーリング材５の周囲が樹脂モルタル８で固化されることとなり、かくして、シーリング材５による止水作用・防水作用を確実ならしめることができるとともに、後で塗り込まれるモルタルの乾燥収縮によってクラックが生じ、該クラックを介して雨水が浸入したり、該乾燥収縮に伴って水密材が剥がれてしまう事態を未然に防止することも可能となる。
【００６１】
本実施形態では、既存のモルタル外壁にあらたなモルタル外壁を水平に接合する一般的な場合について説明したが、これを平面的な増築及び上階への増築に適用することができる。
【００６２】
図４は、本発明に係るモルタル外壁の接合構造及び方法を平面的な増築に適用した場合を示したものである。
【００６３】
かかる場合においては、同図(a)でわかるように、まず、既設モルタル外壁４１を切断撤去する。このとき、モルタル切断箇所と下地であるラス板４２との切断箇所とが一致しないように留意する。
【００６４】
次に、同図(b)に示すように、既存のラス板４２の切断面にあらたなラス板４３を接合し、以下、上述した手順に沿って既存のモルタル外壁４４にあらたなモルタル外壁４５を接合すればよい。
【００６５】
また、本発明はかかる増築の用途に限定されるものではなく、例えば窓を交換する場合や、窓開口を塞いでしまう場合にも適用することができる。
【００６６】
図５は、窓の枠体であるサッシ枠５１を交換する手順を示した図であり、まず、同図(a)に示したように、上述した切断撤去工程をサッシ枠５１の周囲で行うことで該サッシ枠周囲のラス板５２を露出させる。
【００６７】
次に、サッシ枠５１を取り外した後、該サッシ枠が嵌め込まれていたラス板５２の開口を維持してあらたな開口５３とする。すなわち、本変形例では、元の窓と同サイズのものに交換する例として説明する。
【００６８】
次に、同図(b)に示すようにあらたな開口５３に新しい同サイズのサッシ枠５４を嵌め込むとともに、該あらたな開口を取り囲むラス板５２の周縁露出面５５にサッシ枠５４の周囲に突設された鍔部５６を当接して固定し、該鍔部の上に上述したアスファルトフェルト６及びラス網７の反対側縁部を積層配置する。
【００６９】
なお、既存のモルタル外壁５７とあらたなモルタル外壁５８との接合については、概ね上述した手順と同様であるが、本変形例では、あらたなモルタルを樹脂モルタル８で構成し、シーリング材５を塗り込んだ後、残りの空間にすべて樹脂モルタル８を塗り込む。
【００７０】
このようにすれば、あらたなモルタル外壁５８の壁長さが短いため、すべてを樹脂モルタル８を使用する同時工程の方が、作業性を向上させることができる。
【図面の簡単な説明】
【００７１】
【図１】本実施形態に係るモルタル外壁の接合構造の断面図。
【図２】本実施形態に係るモルタル外壁の接合方法の施工手順を示した図。
【図３】同じく本実施形態に係るモルタル外壁の接合方法の施工手順を示した図。
【図４】変形例に係るモルタル外壁の接合構造の断面図。
【図５】変形例に係るモルタル外壁の接合構造の断面図。
【符号の説明】
【００７２】
１                        ラス板
２                        既存モルタル外壁
３                        あらたなモルタル外壁
４                        アスファルトテープ（防水テープ）
５                        シーリング材（水密材）
６                        アスファルトフェルト（防水シート）
７                        ラス網
８                        樹脂モルタル（無収縮性固化材）
９                        モルタル
１０                      既存モルタル
１１                      切断面
２１                      モルタル外壁の接合構造
３１                      入隅部
３２                      マスキングテープ
４２，４３                ラス板
４４                      既存モルタル外壁
４５                      あらたなモルタル外壁
５１，５４                サッシ枠（枠体）
５２                      ラス板
５３                      あらたな開口
５６                      鍔部
５７                      既存モルタル外壁
５８                      あらたなモルタル外壁
【図１】
2006077549.tif 000003
【図２】
2006077549.tif 000004
【図３】
2006077549.tif 000005
【図４】
2006077549.tif 000006
【図５】
2006077549.tif 000007